(57)【要約】      （修正有）【課題】放送マネージドアプリケーションを取得した場合、その使用地域に行く予定がないものを削除して記憶容量を確保できるデジタル放送受信機を提供する。【解決手段】デジタル放送受信機５は、デジタル放送を受信する受信部１０と、放送マネージドアプリケーションをダウンロードする通信部３１と、そのアプリケーションの使用地域を特定する地域特定部５１と、そのアプリケーションと、その使用地域及び有効期限を含むアプリケーション情報を管理する放送マネージドアプリケーション管理部５４と、訪問予定の地域と日付を含むスケジュール情報を管理するスケジュール管理部５２と、アプリケーションや各情報を記憶する記憶部３２とを備える。放送マネージドアプリケーション管理部は、有効期限までに使用地域で使用することのない放送マネージドアプリケーションを記憶部から削除する。【選択図】図１
2016086259.tif 000002
【特許請求の範囲】
【請求項１】
デジタル放送と通信とを連携する方式のデジタル放送受信機において、
デジタル放送を受信する受信部と、
放送マネージドアプリケーションをダウンロードする通信部と、
前記放送マネージドアプリケーションの使用可能な使用地域を特定する地域特定部と、
前記放送マネージドアプリケーションと、前記使用地域及び前記放送マネージドアプリケーションの有効期限を含むアプリケーション情報を管理する放送マネージドアプリケーション管理部と、
使用者の訪れる地域と日付を含むスケジュール情報を管理するスケジュール管理部と、
前記放送マネージドアプリケーションと、前記使用地域及び前記放送マネージドアプリケーションの有効期限を含むアプリケーション情報と、前記スケジュール情報とを記憶する記憶部と、
を備え、
前記放送マネージドアプリケーション管理部は、前記アプリケーション情報と前記スケジュール情報に基づいて、有効期限までに使用することのない放送マネージドアプリケーションを前記記憶部から削除することを特徴とするデジタル放送受信機。
【請求項２】
前記地域特定部は、受信した放送局の情報、あるいは受信した位置情報により前記使用地域を特定することを特徴とする請求項１に記載のデジタル放送受信機。
【請求項３】
前記放送マネージドアプリケーション管理部は、前記記憶部の記憶容量が所定量以下になった場合に、前記放送マネージドアプリケーションの削除処理を実行することを特徴とする請求項１又は２に記載のデジタル放送受信機。
【請求項４】
前記放送マネージドアプリケーション管理部は、予め削除しない地域を設定することを特徴とする請求項１から３のいずれか一項に記載のデジタル放送受信機。
【請求項５】
前記放送マネージドアプリケーション管理部は、使用者の居住区の地域を削除対象外とすることを特徴とする請求項４に記載のデジタル放送受信機。
【発明の詳細な説明】
【技術分野】
【０００１】
本発明は、デジタル放送と通信とを連携する方式のデジタル放送受信機に関する。
【背景技術】
【０００２】
ＩＰ（Internet Protocol）を利用してデジタルテレビ放送を配信する技術（その技術をＩＰＴＶという）が開発されている。そのＩＰＴＶの規定として、放送通信連携システム（ハイブリッドキャスト方式）が策定されている。この放送通信連携システムにおいて、デジタル放送受信機は、放送信号を放送波により受信して、放送信号に含まれる放送コンテンツ（放送番組）を出力すると共に、ネットワーク経由で通信コンテンツを取得して、放送コンテンツと通信コンテンツとを同期再生する。これにより、放送と通信とを連携することが可能である。
【０００３】
具体的には、放送通信連携システムでは、ユーザが放送コンテンツの番組をデジタル放送受信機により視聴しているときに、デジタル放送受信機は、その放送コンテンツが所定のタイミングで、放送信号によりアプリケーションを取得して起動する。通信コンテンツが終了した場合、デジタル放送受信機は、放送信号によりアプリケーションを終了する。これにより、ユーザは、アプリケーションが提供する通信コンテンツを視聴可能である。このように、放送信号により起動及び終了が制御できるアプリケーションを放送マネージドアプリケーションという。
【０００４】
特許文献１には、放送受信機が放送マネージドアプリケーションに対し再利用を想定して保持（キャッシュ）しておくことができ、キャッシュの制御情報には、アプリケーションの有効期限日を設定してあって、有効期限日を経過した時点でアプリケーションを削除することが記載されている。
【先行技術文献】
【特許文献】
【０００５】
【特許文献１】特開２０１３−００９３２９号公報
【発明の概要】
【発明が解決しようとする課題】
【０００６】
番組の放送形態には、全国ネットとローカル放送とがある。特許文献１の技術では、ユーザが一時的に「或る地域」へ行き、ローカル番組独自のハイブリッド放送のアプリケーションを受信して、メモリへキャッシュしておく場合、ユーザが再び「或る地域」へ行くまでに有効期限日が過ぎてしまうことが考えられる。つまり、その地域で受信したアプリケーションは使うことの無いまま一定期間キャッシュされていることになり、そのメモリ領域が無駄となってしまう。
【０００７】
本発明は、斯かる実情に鑑み、デジタル放送と通信を連携する地域放送用のアプリケーションを取得した場合、その地域に行く予定がなければ、そのアプリケーションを削除して記憶容量を確保できるデジタル放送受信機を提供しようとするものである。
【課題を解決するための手段】
【０００８】
本発明は、デジタル放送と通信とを連携する方式のデジタル放送受信機において、
デジタル放送を受信する受信部と、放送マネージドアプリケーションをダウンロードする通信部と、前記放送マネージドアプリケーションの使用可能な使用地域を特定する地域特定部と、前記放送マネージドアプリケーションと、前記使用地域及び前記放送マネージドアプリケーションの有効期限を含むアプリケーション情報を管理する放送マネージドアプリケーション管理部と、使用者の訪れる地域と日付を含むスケジュール情報を管理するスケジュール管理部と、前記放送マネージドアプリケーションと、前記使用地域及び前記放送マネージドアプリケーションの有効期限を含むアプリケーション情報と、前記スケジュール情報とを記憶する記憶部と、を備え、
前記放送マネージドアプリケーション管理部は、前記アプリケーション情報と前記スケジュール情報に基づいて、有効期限までに使用することのない放送マネージドアプリケーションを前記記憶部から削除することを特徴とするものである。
【０００９】
また、本発明のデジタル放送受信機において、前記地域特定部は、受信した放送局の情報、あるいはＧＰＳの位置情報により前記使用地域を特定することを特徴とする。
【００１０】
また、本発明のデジタル放送受信機において、前記放送マネージドアプリケーション管理部は、前記記憶部の記憶容量が所定量以下になった場合に、前記放送マネージドアプリケーションの削除処理を実行することを特徴とする。
【００１１】
また、本発明のデジタル放送受信機において、前記放送マネージドアプリケーション管理部は、予め削除しない地域を設定することを特徴とする。
【００１２】
また、本発明のデジタル放送受信機において、前記放送マネージドアプリケーション管理部は、使用者の居住区の地域を削除対象外とすることを特徴とする。
【発明の効果】
【００１３】
本発明によれば、記憶部に格納している放送マネージドアプリケーションの使用地域へ有効期限内に行く予定が無いのであれば、その使用地域でのみ使われる放送マネージドアプリケーションを、記憶部から削除するので、記憶部の限られた記憶容量(領域)を効率的に活用することができる。
【図面の簡単な説明】
【００１４】
【図１】本発明の放送通信連携システムの構成を示す概略ブロック図である。
【図２】居住地登録を行う場合の表示部の画面を示す図である。
【図３】記憶部に格納されるアプリケーション情報一覧を示す図である。
【図４】ユーザが登録した２０１４年９月におけるスケジュール情報である。
【図５】本発明の係るデジタル放送受信機の動作を示すフローチャートである。
【図６】削除処理後に格納されたアプリケーション情報一覧を示す図である。
【発明を実施するための形態】
【００１５】
以下、図面を参照しながら本発明の実施形態について説明する。
【００１６】
図１は、本発明の放送通信連携システムの構成を示す概略ブロック図である。放送通信連携システムは、放送通信連携のサービス事業者３が放送波により放送サービスを提供するための放送局１と、このサービス事業者３がインターネット等の通信ネットワークを介して通信サービスを提供するための通信サーバ２と、利用者に利用されるデジタル放送受信機５と、を具備している。
【００１７】
放送局１は、一般的なデジタル放送用の放送設備（図示しない）を備え、放送波を送信する。放送局１は、コンピュータが実行可能なコンピュータプログラムが格納された記憶装置（図示しない）と、そのコンピュータプログラムを読み出して実行するＣＰＵ（Central Processing Unit）（図示しない）と、を具備している。放送局１は、放送番組、データ放送、アプリケーション制御情報（Application Information Table：ＡＩＴ）等を多重化した放送信号を生成する。放送局１は、その放送信号を放送波に変調し、放送用アンテナを介して放送波を送信する。
【００１８】
放送信号は、ＡＲＩＢ（登録商標）（Association of Radio Industries and Broadcast：社団法人電波産業会）標準規格で規定される。デジタル放送によって提供される映像、音声等の各種データは、国際標準規格ＭＰＥＧ−２  Ｓｙｓｔｅｍｓで規定されるＴＳパケット（トランスポートストリームパケット）に格納されて、時分割で多重伝送される。ＴＳパケットには、セクションに対してＰＳＩ（Program Specific Information）／ＳＩ（Service Information）が規定されている。ＰＳＩ／ＳＩは、ＴＳパケットに格納されているデータの種別を示す情報や、コンテンツの種別を示す情報を含んでいる。データの種別を示す情報は、データ放送用のデータとＡＩＴとを伝送するための伝送情報（Program Map Table：ＰＭＴ）を含んでいる。
【００１９】
データ放送は、放送番組と連携するコンテンツである。データ放送向けの記述言語としては、ＢＭＬ（Broadcast Markup Language）文書が使用され、ＢＭＬはＡＲＩＢ（登録商標）により策定されている。ＰＭＴは、データ放送を伝送するコンポーネントに関わるデータ符号化方式記述子のadditional_arib_bxml_info()において、データ放送の起動を最優先とするか否かを指定するための起動優先制御情報を含んでいる。その起動優先制御情報が最優先を示している場合は、データ放送はデジタル放送受信機５により起動される。
【００２０】
ＡＩＴは、放送マネージドアプリケーションを管理するための情報である。放送マネージドアプリケーションは、放送番組と連携する他のコンテンツであり、データ放送とは記述言語等のデータ形式が異なる。放送マネージドアプリケーション向けの記述言語としては、ＨＴＭＬ（Hyper Text Markup Language）文書が使用される。また、ＡＩＴは、放送マネージドアプリケーションを識別するアプリケーションＩＤと、放送マネージドアプリケーションの所在を示す所在情報（Uniform Resource Locator：ＵＲＬ）と、を含んでいる。ＰＭＴは、ＡＩＴを伝送するコンポーネントに関わるデータ符号化方式記述子のait_identifier_info()において、放送マネージドアプリケーションの起動を最優先とするか否かを指定するための起動優先制御情報を含んでいる。その起動優先制御情報が最優先を示している場合は、放送マネージドアプリケーションはデジタル放送受信機５により起動される。
【００２１】
通信サーバ２は、放送局１の設備と通信可能に接続され、放送マネージドアプリケーションを配信するコンピュータである。通信サーバ２は、コンピュータが実行可能なコンピュータプログラムが格納された記憶装置（図示しない）と、そのコンピュータプログラムを読み出して実行するＣＰＵ（図示しない）と、を具備している。通信サーバ２は、アプリケーション取得要求に応じて、放送マネージドアプリケーションを、通信ネットワークを介して配信する。
【００２２】
デジタル放送受信機５は、受信部１０と、出力部２０と、通信部３１と、記憶部３２と、制御部５０と、を具備している。通信部３１は、通信ネットワークを介して通信サーバ２と通信を行う通信インタフェースである。制御部５０は、例えばＣＰＵからなり、各部に対して制御を行う。記憶部３２は、コンピュータが実行可能なコンピュータプログラムや様々のデータを格納し、制御部５０はそのコンピュータプログラムを読み出して実行する。
【００２３】
受信部１０は、チューナ部１１と放送波受信部１２とを備える。
【００２４】
放送波受信部１２は、放送番組が視聴される放送番組視聴指示に応じて、チューナ部１１を介して放送局１から放送されている放送波を受信する。放送波受信部１２は、その放送波を復調し、放送波から放送信号、すなわち、ＴＳパケットを抽出する。放送波受信部１２の放送番組提示機能は、ＴＳパケットのＰＳＩ／ＳＩを参照して、ＴＳパケットに含まれている放送番組（映像データ及び音声データ）を出力部２０に出力する。また、放送波受信部１２の放送番組提示機能は、予め規定されている伝送方法に応じて、ＴＳパケットからＰＭＴやＡＩＴを抽出して記憶部３２に格納する。
【００２５】
出力部２０は、音声制御部２１と、映像制御部２２と、スピーカ２３と、表示部２４と、を備えている。音声制御部２１は、放送波受信部１２からの音声データを、映像制御部２２により制御される映像データと同期をとりながらスピーカ２３に出力する。映像制御部２２は、放送波受信部１２からの映像データを、音声制御部２１により制御される音声データと同期をとりながら表示部２４に表示する。
【００２６】
制御部５０は、地域特定部５１と、スケジュール管理部５２と、放送マネージドアプリケーション実行部５３と、放送マネージドアプリケーション管理部５４とを備える。制御部５０は、他の機能も備えるが、図では放送マネージドアプリケーションに関する部分を示す。
【００２７】
放送マネージドアプリケーション実行部５３は、記憶部３２に格納されたＡＩＴに基づいて、アプリケーション取得要求（デジタル放送受信機５を識別する識別子と、上述のＡＩＴのアプリケーションＩＤ、ＵＲＬと、を少なくとも含む）を、通信部３１を介して通信サーバ２に送信し、通信サーバ２から放送マネージドアプリケーションを取得する。放送マネージドアプリケーション実行部５３は、その放送マネージドアプリケーションを起動させて出力部２０に提示する。また、取得した放送マネージドアプリケーションは、放送マネージドアプリケーション管理部５４に管理させる。
【００２８】
地域特定部５１は、位置情報を取得して、放送マネージドアプリケーションが使用可能な地域を特定する。この使用地域は、例えば放送マネージドアプリケーションをダウンロードする際、放送局の情報や受信した場所についてのＧＰＳ（Global Positioning System）の位置情報によって特定する。
【００２９】
スケジュール管理部５２は、ユーザがスケジュール管理アプリケーションによって入力したスケジュール情報の管理を行う。デジタル受信機には、予めスケジュール管理アプリケーションがインストールされており、ユーザはこのアプリケーションによってスケジュール管理を行っている。スケジュール管理部５２は、このアプリケーションに従って入力された日付と訪問先の地域などをスケジュール情報として記憶部３２に格納する。
【００３０】
放送マネージドアプリケーション管理部５４は、取得した放送マネージドアプリケーションのデータと共に、アプリケーションＩＤ、有効期限、使用地域を含むアプリケーション情報を記憶部３２に格納して管理する。そして、不要な放送マネージドアプリケーションは記憶部３２から削除する。
【００３１】
次に、デジタル放送受信機の放送マネージドアプリケーションの管理動作について説明する。
まず、デジタル放送受信機５は、管理動作を行うまえに次のような処理を行って記憶部３２に情報を格納している。
【００３２】
まず、ユーザは自分の居住地登録をデジタル放送受信機５に対して行う。これは、居住区近辺は出かける予定があっても、わざわざスケジュールに登録しないことが多く、その地域で保存した放送マネージドアプリケーションを削除対象から除くようにするためである。
【００３３】
図２は、居住地登録を行う場合の表示部２４の画面を示す図である。
画面６１は居住地域選択を示す画面であり、表示されている日本の各地域の中から選択を行う。ここでは「関東」を選択したとする。画面６２は関東の地域選択を示す画面であり、表示されている関東の各地域の中から選択を行う。ここでは、「東京」を選択したとする。画面６３では、「居住区に東京を選択しました」と表示して、ユーザに登録が完了したことを知らせる。このように、居住区を「東京」にした際には、関東一帯は普段の行動範囲内となることが考えられるので、関東で保存した放送マネージドアプリは削除対象外とする。周辺地域の決定方法は、同じ地域に分類されている都道府県(図２に表示される都道府県)としてもよいし、隣接する都道府県、居住地域から半径１００Ｋｍ以内とするなど、複数の方法が考えられる。
【００３４】
また、デジタル放送受信機５は、放送マネージドアプリケーションに関するデータを記憶部３２に格納している。図３は、記憶部３２に格納されるアプリケーション情報一覧を示す図である。
【００３５】
放送波受信部１２がハイブリッドキャスト放送を受信し、放送マネージドアプリケーション実行部５３が通信部３１を介して通信サーバ２から放送マネージドアプリケーションをダウンロードする際、地域特定部５１は、放送局の情報(例えば、東京のテレビ局の場合だったら「東京」、埼玉のテレビ局だったら「埼玉」)、あるいはＧＰＳによって取得できる位置情報から放送マネージドアプリを受信した地域を特定する。放送マネージドアプリケーション管理部５４は、取得した放送マネージドアプリケーションのデータと共に、図３に示すように、アプリケーションＩＤ、アプリケーションの有効期限、地域特定部５１が特定した使用地域をアプリケーション情報として記憶部３２に格納する。
【００３６】
スケジュール管理部５２は、記憶部３２から、図４示すスケジュール情報を読み出す。図４は、ユーザが登録した２０１４年９月におけるスケジュール情報である。このような日付と訪問先の地域のデータが記憶部３２に格納されている。
【００３７】
図５は、本発明の係るデジタル放送受信機５の動作を示すフローチャートである。
放送マネージドアプリケーション管理部５４は、記憶部３２に格納している放送マネージドアプリケーションのアプリケーション情報一覧を取得する（ステップＳ１１）。この一覧は、たとえば図３に示したものである。次にスケジュール管理部５２が、スケジュール管理アプリケーションにより記憶部３２に格納されたユーザスケジュールを取得し放送マネージドアプリケーション管理部５４に送る（ステップＳ１２）。たとえば、図３に示すスケジュールである。
【００３８】
放送マネージドアプリケーション管理部５４は、取得したアプリケーション情報一覧のなかで未チェックの放送マネージドアプリケーションが残っているかを確認する（ステップＳ１３）。
【００３９】
未チェックの放送マネージドアプリケーションが残っている場合、放送マネージドアプリケーション管理部５４は、アプリケーション情報とスケジュール情報に基づいて、放送マネージドアプリケーションの有効期限内に、その地域に行く予定があるかを確認する（ステップＳ１４）。
【００４０】
放送マネージドアプリケーション管理部５４は、その地域に行く予定がなければ、放送マネージドアプリケーションの使用地域は居住地域と一致しているかを確認する（ステップＳ１５）。
【００４１】
一致していなければ、放送マネージドアプリケーション管理部５４は、当該放送マネージドアプリケーション（アプリケーションデータ及びそれに関連するデータ）を記憶部３２から削除する。
【００４２】
ステップＳ１４、Ｓ１５でＹｅｓの場合、及びステップＳ１６が終了した時点でステップＳ１３に戻る。ステップＳ１３で、未チェックの放送マネージドアプリケーションが残っていなければ処理を終了する。
【００４３】
この処理を、図２〜図４を使って具体的に説明する。
図３のアプリケーションＩＤ＝０ｘ０００１では、２０１４／０９／０３が有効期限であり、使用地域は「愛知」である。図４をみると、２０１４／０９／０３までに、愛知に行かないので、このアプリケーションは削除する。
図３のアプリケーションＩＤ＝０ｘ０００２では、２０１４／０９／０５が有効期限であり、使用地域は「大阪」である。図４をみると、２０１４／０９／０３に、大阪にいくので、このアプリケーションは削除しない。
図３のアプリケーションＩＤ＝０ｘ０００３では、２０１４／０９／１０が有効期限であり、使用地域は「岩手」である。図４をみると、２０１４／０９／１０までに、岩手に行かないので、このアプリケーションは削除する。
図３のアプリケーションＩＤ＝０ｘ０００４、０ｘ０００５では、使用地域が「東京」「千葉」である。図２に示すようにユーザの居住地域は「東京」であり、関東全域を削除対象外とするので、このアプリケーションは削除しない。
図３のアプリケーションＩＤ＝０ｘ０００６では、２０１４／０９／３０が有効期限であり、使用地域は「新潟」である。図４をみると、２０１４／０９／３０までに、新潟に行かないので、このアプリケーションは削除する。
【００４４】
この結果、アプリケーションＩＤ＝０ｘ０００１、０ｘ０００３、０ｘ０００６の放送マネージドアプリケーションを削除し、残ったものは図６に示す放送マネージドアプリケーションとなる。
【００４５】
このように、記憶部３２に格納している放送マネージドアプリケーションの使用地域へ行く予定が無いのであれば、その使用地域でのみ使われる放送マネージドアプリケーションを、記憶部３２から削除するので、記憶部３２の限られた記憶容量(領域)を効率的に活用することができる。
【００４６】
なお、削除対象外とするのは居住区のある地域としたが、これに限るわけではない。たとえば勤め先が別の地域にあったり、あるいは定期的に訪れる地域があったりすれば、予め削除対象外として設定することも可能である。
また、記憶部３２の記憶残量を検出して、記憶残量が所定量以下になって初めて図５に示す放送マネージドアプリケーションの削除処理を行うようにしてもよい。
【００４７】
以上、この発明の実施形態を図面を参照して詳述してきたが、具体的な構成はこれらの実施形態に限られるものではなく、この発明の要旨を逸脱しない範囲の設計変更等された発明も含まれる。
【符号の説明】
【００４８】
１          ：放送局
２          ：通信サーバ
３          ：サービス事業者
５          ：デジタル放送受信機
１０        ：受信部
１１        ：チューナ部
１２        ：放送波受信部
２０        ：出力部
２１        ：音声制御部
２２        ：映像制御部
２３        ：スピーカ
２４        ：表示部
３１        ：通信部
３２        ：記憶部
５０        ：制御部
５１        ：地域特定部
５２        ：スケジュール管理部
５３        ：放送マネージドアプリケーション実行部
５４        ：放送マネージドアプリケーション管理部
【図１】
2016086259.tif 000003
【図２】
2016086259.tif 000004
【図３】
2016086259.tif 000005
【図４】
2016086259.tif 000006
【図５】
2016086259.tif 000007
【図６】
2016086259.tif 000008